(57)【特許請求の範囲】
【請求項１】
記録ヘッドを主走査方向に往復動させながら記録紙にインクを吐出する動作と、前記記録紙を副走査方向に間欠的に搬送する動作とを交互に繰り返して前記記録紙に記録を実行するインクジェット式記録装置にてロール紙に記録を実行する際のロール紙切断制御方法であって、
記録終了時に次の記録データがある時は、前記ロール紙にそのまま次の記録を実行し、次の記録実行中に、記録が終了している記録の終端と記録途中の記録の始端と間の切断すべき位置が、ロール紙切断手段による切断位置に到達した時点で、該ロール紙を切断し、
記録終了時に次の記録データがない時は、その時点で記録実行制御を終了して、ロール紙切断制御要求待ち状態を維持し、
手動操作による前記ロール紙切断制御要求があった時に、前記ロール紙の記録が終了している記録の終端の切断すべき位置が、前記ロール紙切断手段による切断位置に到達するまで該ロール紙を搬送して該ロール紙を切断し、
前記ロール紙切断制御要求待ち状態中に、前記インクジェット式記録装置の電源スイッチをＯＦＦにする操作が行われた時には、前記ロール紙の記録が終了している記録の終端の切断すべき位置が、前記ロール紙切断手段による切断位置に到達するまで該ロール紙を搬送して該ロール紙を切断した後に、前記インクジェット式記録装置の電源をＯＦＦする、ことを特徴としたロール紙切断制御方法。
【請求項２】
請求項１において、前記ロール紙切断制御方法は、前記ロール紙切断制御要求待ち状態中に、手動操作による前記ロール紙切断制御要求があった時、及び前記インクジェット式記録装置の電源スイッチをＯＦＦにする操作が行われた時は、前記ロール紙を切断後、切断位置より前記副走査方向上流側の前記ロール紙の始端が、次の記録実行制御の開始位置となる如く該ロール紙を逆送する、ことを特徴としたロール紙切断制御方法。
【請求項３】
請求項１又は２において、前記ロール紙切断制御方法は、通常の記録実行制御時には、前記ロール紙上の前記副走査方向における既定長の記録領域の始端近傍及び終端近傍にてロール紙を切断し、記録途中に記録実行制御が中断された時には、記録途中の記録終端近傍で前記ロール紙を切断する、ことを特徴としたロール紙切断制御方法。
【請求項４】
記録ヘッドを主走査方向に往復動させながら記録紙にインクを吐出する動作と、前記記録紙を副走査方向に間欠的に搬送する動作とを交互に繰り返して前記記録紙に記録を実行する記録実行手段と、該記録実行手段によりロール紙に記録を実行する際に、記録実行後のロール紙を切断するロール紙切断手段と、前記記録実行手段及びロール紙切断手段を制御する記録制御部とを備えたインクジェット式記録装置であって、前記記録制御部は、
記録終了時に次の記録データがある時は、前記ロール紙にそのまま次の記録を実行し、次の記録実行中に、記録が終了している記録の終端と記録途中の記録の始端と間の切断すべき位置が、前記ロール紙切断手段による切断位置に到達した時点で、該ロール紙を切断し、
記録終了時に次の記録データがない時は、その時点で記録実行制御を終了して、ロール紙切断制御要求待ち状態を維持し、
手動操作による前記ロール紙切断制御要求があった時に、前記ロール紙の記録が終了している記録の終端の切断すべき位置が、前記ロール紙切断手段による切断位置に到達するまで該ロール紙を搬送して該ロール紙を切断し、
前記ロール紙切断制御要求待ち状態中に、前記インクジェット式記録装置の電源スイッチをＯＦＦにする操作が行われた時には、前記ロール紙の記録が終了している記録の終端の切断すべき位置が、前記ロール紙切断手段による切断位置に到達するまで該ロール紙を搬送して該ロール紙を切断した後に、前記インクジェット式記録装置の電源をＯＦＦする、ことを特徴としたインクジェット式記録装置。
【請求項５】
請求項４において、前記記録制御部は、前記ロール紙切断制御要求待ち状態中に、手動操作による前記ロール紙切断制御要求があった時、及び前記インクジェット式記録装置の電源スイッチをＯＦＦにする操作が行われた時は、前記ロール紙を切断後、切断位置より前記副走査方向上流側の前記ロール紙の始端が、次の記録実行制御の開始位置となる如く該ロール紙を逆送する、ことを特徴としたインクジェット式記録装置。
【請求項６】
請求項４又は５において、前記制御部は、通常の記録実行制御時には、前記ロール紙上の前記副走査方向における既定長の記録実行領域の始端及び終端に所定の余白を残してロール紙を切断し、記録途中に記録実行制御が中断された時には、記録途中の記録終端近傍で前記ロール紙を切断する、ことを特徴としたインクジェット式記録装置。
【請求項７】
記録ヘッドを主走査方向に往復動させながら記録紙にインクを吐出する動作と、前記記録紙を副走査方向に間欠的に搬送する動作とを交互に繰り返して前記記録紙に記録を実行する記録実行手段と、該記録実行手段によりロール紙に記録を実行する際に、記録実行後のロール紙を切断するロール紙切断手段とを備えたインクジェット式記録装置のロール紙切断手段の制御をコンピュータに実行させるロール紙切断制御プログラムであって、
記録終了時に次の記録データがある時は、前記ロール紙にそのまま次の記録を実行し、次の記録実行中に、記録が終了している記録の終端と記録途中の記録の始端と間の切断すべき位置が、前記ロール紙切断手段による切断位置に到達した時点で、該ロール紙を切断する手順と、
記録終了時に次の記録データがない時は、その時点で記録実行制御を終了して、ロール紙切断制御要求待ち状態を維持する手順と、
手動操作による前記ロール紙切断制御要求があった時に、前記ロール紙の記録が終了している記録の終端の切断すべき位置が、前記ロール紙切断手段による切断位置に到達するまで該ロール紙を搬送して該ロール紙を切断する手順と、
前記ロール紙切断制御要求待ち状態中に、前記インクジェット式記録装置の電源スイッチをＯＦＦにする操作が行われた時には、前記ロール紙の記録が終了している記録の終端の切断すべき位置が、前記ロール紙切断手段による切断位置に到達するまで該ロール紙を搬送して該ロール紙を切断した後に、前記インクジェット式記録装置の電源をＯＦＦする手順とを有する、ことを特徴としたロール紙切断制御プログラム。
【請求項８】
請求項７において、前記ロール紙切断制御プログラムは、前記ロール紙切断制御要求待ち状態中に、手動操作による前記ロール紙切断制御要求があった時、及び前記インクジェット式記録装置の電源スイッチをＯＦＦにする操作が行われた時は、前記ロール紙を切断後、切断位置より前記副走査方向上流側の前記ロール紙の始端が、次の記録実行制御の開始位置となる如く該ロール紙を逆送する手順を有する、ことを特徴としたロール紙切断制御プログラム。
【発明の詳細な説明】
【０００１】
【発明の属する技術分野】
本願発明は、ロール紙に記録実行可能な構成を有するインクジェット式記録装置のロール紙切断制御方法に関する。
【０００２】
【従来の技術】
ロール紙に記録実行可能なインクジェット式記録装置としては、ロール紙を給紙路に給紙可能なロール紙給紙手段と、ロール紙カッター等のロール紙切断手段とを備え、ロール紙への記録及び記録後のロール紙を適切な切断位置で切断可能な構成を有するインクジェット式記録装置が公知である。このようなインクジェット式記録装置において、従来一般的に行われている記録実行制御、及びロール紙切断制御は、まず、記録データに含まれる記録紙サイズ情報に基づいて、ロール紙上の記録実行領域及び記録実行領域の終端近傍の切断位置が決定される。つづいて、記録実行手段によってロール紙の記録実行領域に記録が実行され、あらかじめ決定されている切断位置において切断され、排紙手段によって普通紙等の単票紙と同様に排出される。そして、切断後、切断位置より副走査方向上流側のロール紙の始端が、次の記録実行制御の開始位置となる如くロール紙を逆送し、次の記録が実行されるものである。
【０００３】
しかし、ロール紙に対して連続して記録を実行する際には、このように、記録を終える毎にロール紙を切断位置まで副走査方向に搬送し、切断した後、逆送して次の記録を実行することを繰り返すと、記録実行のスループットが良くない。そのため、ロール紙に連続して記録を実行する際には、記録終了後、すぐにロール紙を切断せずに、次の記録をそのまま実行する。つづいて、次の記録実行中にロール紙の切断すべき位置が、ロール紙切断手段の切断位置に到達した時点で、いったん実行中の記録を中断してロール紙を切断する。そして、記録実行中の記録を継続して実行する。
【０００４】
また、最後の記録が終了した時点で、インクジェット式記録装置に設けられているボタンを操作することによって、最後の記録の切断すべき位置がロール紙切断手段の切断位置まで搬送され、その位置でロール紙が切断される。そして、切断後、切断位置より副走査方向上流側のロール紙の始端が、次の記録実行制御の開始位置となる如くロール紙を逆送される。このように、ロール紙に対して連続して記録を実行する際には、連続して記録を実行しながら記録と記録との間の切断すべき位置が、ロール紙切断手段の切断位置に到達した時点でロール紙を切断することによって、効率的にロール紙への連続した記録を実行することができるものである。
【０００５】
【発明が解決しようとする課題】
しかしながら、連続した記録の最後の記録は、ボタン操作によって、切断及び排紙を実行する必要があるので、その時点で、ボタン操作をする前にインクジェット式記録装置の電源スイッチをＯＦＦしてしまうと、最後の記録が、インクジェット式記録装置の内部に残留したままになってしまう。そして、次にインクジェット式記録装置の電源スイッチをＯＮした時点において、残留している記録の副走査方向の長さが分からないため、その残留している記録を正確な終端位置でロール紙を切断することができない。
【０００６】
本願発明は、このような状況に鑑み成されたものであり、その課題は、ロール紙へ連続して記録を実行する際の最後の記録がインクジェット式記録装置内部に残留した状態で、インクジェット式記録装置の電源スイッチをＯＦＦした時に、インクジェット式記録装置内部に残留している記録を正確な切断位置で切断して排出することができなくなることを防止することにある。
【０００７】
【課題を解決するための手段】
上記課題を達成するため、本願請求項１に記載の発明は、記録ヘッドを主走査方向に往復動させながら記録紙にインクを吐出する動作と、前記記録紙を副走査方向に間欠的に搬送する動作とを交互に繰り返して前記記録紙に記録を実行するインクジェット式記録装置にてロール紙に記録を実行する際のロール紙切断制御方法であって、記録終了時に次の記録データがある時は、前記ロール紙にそのまま次の記録を実行し、次の記録実行中に、記録が終了している記録の終端と記録途中の記録の始端と間の切断すべき位置が、ロール紙切断手段による切断位置に到達した時点で、該ロール紙を切断し、記録終了時に次の記録データがない時は、その時点で記録実行制御を終了して、ロール紙切断制御要求待ち状態を維持し、手動操作による前記ロール紙切断制御要求があった時に、前記ロール紙の記録が終了している記録の終端の切断すべき位置が、前記ロール紙切断手段による切断位置に到達するまで該ロール紙を搬送して該ロール紙を切断し、前記ロール紙切断制御要求待ち状態中に、前記インクジェット式記録装置の電源スイッチをＯＦＦにする操作が行われた時には、前記ロール紙の記録が終了している記録の終端の切断すべき位置が、前記ロール紙切断手段による切断位置に到達するまで該ロール紙を搬送して該ロール紙を切断した後に、前記インクジェット式記録装置の電源をＯＦＦする、ことを特徴としたロール紙切断制御方法である。
【０００８】
このように、ロール紙に連続して記録を実行し、最後の記録が終了してロール紙切断制御要求待ち状態で、インクジェット式記録装置の電源をＯＦＦにする操作が行われた時に、ロール紙の記録が終了している記録の終端の切断すべき位置が、ロール紙切断手段による切断位置に到達するまでロール紙を搬送してロール紙を切断した後に、インクジェット式記録装置の電源をＯＦＦする。
【０００９】
つまり、ロール紙切断制御要求待ち状態の時に、ロール紙の記録が終了している記録の終端の切断すべき位置が、ロール紙切断手段による切断位置に到達するまでロール紙を搬送してロール紙を切断する制御を実行する手動操作を行わずに、インクジェット式記録装置の電源をＯＦＦにする操作してしまった時に、その手動操作によるロール紙の切断制御を必ず実行するものである。したがって、最後の記録が、インクジェット式記録装置の内部に残留したままになってしまう虞がない。
【００１０】
これにより、本願請求項１に記載の発明に係るロール紙切断制御方法によれば、ロール紙へ連続して記録を実行する際の最後の記録がインクジェット式記録装置内部に残留した状態で、インクジェット式記録装置の電源スイッチをＯＦＦした時に、インクジェット式記録装置内部に残留している記録を正確な切断位置で切断して排出することができなくなることを防止することができるという作用効果が得られる。
【００１１】
本願請求項２に記載の発明は、請求項１において、前記ロール紙切断制御方法は、前記ロール紙切断制御要求待ち状態中に、手動操作による前記ロール紙切断制御要求があった時、及び前記インクジェット式記録装置の電源スイッチをＯＦＦにする操作が行われた時は、前記ロール紙を切断後、切断位置より前記副走査方向上流側の前記ロール紙の始端が、次の記録実行制御の開始位置となる如く該ロール紙を逆送する、ことを特徴としたロール紙切断制御方法である。
【００１２】
このように、ロール紙を切断後、切断位置より副走査方向上流側のロール紙の始端が、次の記録実行制御の開始位置となる如くロール紙を逆送するので、次のロール紙への記録開始時に、すぐに記録を開始することができる。
これにより、本願請求項２に記載の発明に係るロール紙切断制御方法によれば、本願請求項１に記載の発明による作用効果に加えて、ロール紙へ記録実行する際のスループットを向上させることができるという作用効果が得られる。
【００１３】
本願請求項３に記載の発明は、請求項１又は２において、前記ロール紙切断制御方法は、通常の記録実行制御時には、前記ロール紙上の前記副走査方向における既定長の記録領域の始端近傍及び終端近傍にてロール紙を切断し、記録途中に記録実行制御が中断された時には、記録途中の記録終端近傍で前記ロール紙を切断する、ことを特徴としたロール紙切断制御方法である。
【００１４】
このように、記録を中断した際には、あらかじめ設定されている記録領域の終端近傍ではなく、記録途中の記録終端近傍で、つまり記録を終えている記録領域の終端近傍でロール紙を切断するので、残りの記録が実行されていない余白部分を無駄に捨ててしまうことがない。
これにより、本願請求項３に記載の発明に係るロール紙切断制御方法によれば、本願請求項１又は２に記載の発明による作用効果に加えて、インクジェット式記録装置でロール紙に記録を実行する際に、記録途中において記録実行制御が中断された時に、無駄に捨てられてしまうロール紙を少なくすることができるという作用効果が得られる。
【００１５】
本願請求項４に記載の発明は、記録ヘッドを主走査方向に往復動させながら記録紙にインクを吐出する動作と、前記記録紙を副走査方向に間欠的に搬送する動作とを交互に繰り返して前記記録紙に記録を実行する記録実行手段と、該記録実行手段によりロール紙に記録を実行する際に、記録実行後のロール紙を切断するロール紙切断手段と、前記記録実行手段及びロール紙切断手段を制御する記録制御部とを備えたインクジェット式記録装置であって、前記記録制御部は、記録終了時に次の記録データがある時は、前記ロール紙にそのまま次の記録を実行し、次の記録実行中に、記録が終了している記録の終端と記録途中の記録の始端と間の切断すべき位置が、前記ロール紙切断手段による切断位置に到達した時点で、該ロール紙を切断し、記録終了時に次の記録データがない時は、その時点で記録実行制御を終了して、ロール紙切断制御要求待ち状態を維持し、手動操作による前記ロール紙切断制御要求があった時に、前記ロール紙の記録が終了している記録の終端の切断すべき位置が、前記ロール紙切断手段による切断位置に到達するまで該ロール紙を搬送して該ロール紙を切断し、前記ロール紙切断制御要求待ち状態中に、前記インクジェット式記録装置の電源スイッチをＯＦＦにする操作が行われた時には、前記ロール紙の記録が終了している記録の終端の切断すべき位置が、前記ロール紙切断手段による切断位置に到達するまで該ロール紙を搬送して該ロール紙を切断した後に、前記インクジェット式記録装置の電源をＯＦＦする、ことを特徴としたインクジェット式記録装置である。
本願請求項４に記載の発明に係るインクジェット式記録装置によれば、インクジェット式記録装置において、前述した本願請求項１に記載の発明と同様の作用効果を得ることができる。
【００１６】
本願請求項５に記載の発明は、請求項４において、前記記録制御部は、前記ロール紙切断制御要求待ち状態中に、手動操作による前記ロール紙切断制御要求があった時、及び前記インクジェット式記録装置の電源スイッチをＯＦＦにする操作が行われた時は、前記ロール紙を切断後、切断位置より前記副走査方向上流側の前記ロール紙の始端が、次の記録実行制御の開始位置となる如く該ロール紙を逆送する、ことを特徴としたインクジェット式記録装置である。
本願請求項５に記載の発明に係るインクジェット式記録装置によれば、インクジェット式記録装置において、前述した本願請求項２に記載の発明と同様の作用効果を得ることができる。
【００１７】
本願請求項６に記載の発明は、請求項４又は５において、前記制御部は、通常の記録実行制御時には、前記ロール紙上の前記副走査方向における既定長の記録実行領域の始端及び終端に所定の余白を残してロール紙を切断し、記録途中に記録実行制御が中断された時には、記録途中の記録終端近傍で前記ロール紙を切断する、ことを特徴としたインクジェット式記録装置である。
本願請求項６に記載の発明に係るインクジェット式記録装置によれば、インクジェット式記録装置において、前述した本願請求項３に記載の発明と同様の作用効果を得ることができる。
【００１８】
本願請求項７に記載の発明は、記録ヘッドを主走査方向に往復動させながら記録紙にインクを吐出する動作と、前記記録紙を副走査方向に間欠的に搬送する動作とを交互に繰り返して前記記録紙に記録を実行する記録実行手段と、該記録実行手段によりロール紙に記録を実行する際に、記録実行後のロール紙を切断するロール紙切断手段とを備えたインクジェット式記録装置のロール紙切断手段の制御をコンピュータに実行させるロール紙切断制御プログラムであって、記録終了時に次の記録データがある時は、前記ロール紙にそのまま次の記録を実行し、次の記録実行中に、記録が終了している記録の終端と記録途中の記録の始端と間の切断すべき位置が、前記ロール紙切断手段による切断位置に到達した時点で、該ロール紙を切断する手順と、記録終了時に次の記録データがない時は、その時点で記録実行制御を終了して、ロール紙切断制御要求待ち状態を維持する手順と、手動操作による前記ロール紙切断制御要求があった時に、前記ロール紙の記録が終了している記録の終端の切断すべき位置が、前記ロール紙切断手段による切断位置に到達するまで該ロール紙を搬送して該ロール紙を切断する手順と、前記ロール紙切断制御要求待ち状態中に、前記インクジェット式記録装置の電源スイッチをＯＦＦにする操作が行われた時には、前記ロール紙の記録が終了している記録の終端の切断すべき位置が、前記ロール紙切断手段による切断位置に到達するまで該ロール紙を搬送して該ロール紙を切断した後に、前記インクジェット式記録装置の電源をＯＦＦする手順とを有する、ことを特徴としたロール紙切断制御プログラムである。
【００１９】
本願請求項７に記載の発明に係るロール紙切断制御プログラムによれば、前述した本願請求項１に記載の発明と同様の作用効果を得ることができるとともに、このロール紙切断制御プログラムを実行することができる任意のインクジェット式記録装置に、前述した本願請求項１に記載の発明と同様の作用効果をもたらすことができる。
【００２０】
本願請求項８に記載の発明は、請求項７において、前記ロール紙切断制御プログラムは、前記ロール紙切断制御要求待ち状態中に、手動操作による前記ロール紙切断制御要求があった時、及び前記インクジェット式記録装置の電源スイッチをＯＦＦにする操作が行われた時は、前記ロール紙を切断後、切断位置より前記副走査方向上流側の前記ロール紙の始端が、次の記録実行制御の開始位置となる如く該ロール紙を逆送する手順を有する、ことを特徴としたロール紙切断制御プログラムである。
【００２１】
本願請求項８に記載の発明に係るロール紙切断制御プログラムによれば、前述した本願請求項２に記載の発明と同様の作用効果を得ることができるとともに、このロール紙切断制御プログラムを実行することができる任意のインクジェット式記録装置に、前述した本願請求項２に記載の発明と同様の作用効果をもたらすことができる。
【００２２】
【発明の実施の形態】
以下、本願発明の一実施の形態を図面に基づいて説明する。
図１は、本願発明に係るインクジェット式記録装置の一実施の形態を示した概略の平面図であり、図２はその側面図である。
【００２３】
インクジェット式記録装置５０には、普通紙等の単票紙、及びロール紙Ｐ等の長尺な記録紙に記録を実行する記録手段として、キャリッジガイド軸５１に軸支され、主走査方向Ｘに移動するキャリッジ６１が設けられている。キャリッジ６１には、記録紙にインクを吐出して記録を行う記録ヘッド６２が搭載されている。記録ヘッド６２と対向して、記録ヘッド６２のヘッド面と記録紙とのギャップを規定するプラテン５２が設けられている。そして、キャリッジ６１を主走査方向Ｘに搬送し、キャリッジ６１とプラテン５２の間に記録紙を副走査方向Ｙに搬送しながら、記録ヘッド６２が記録紙にインクを吐出することで記録紙に記録が行われる。
【００２４】
給紙トレイ３１は、例えば普通紙やフォト紙等の単票紙を給紙可能な構成となっており、単票紙を自動給紙するためのＡＳＦ（オート・シート・フィーダー）が設けられている。ＡＳＦは、給紙トレイ３１に設けられた２つの給紙ローラ２２及び図示してない分離パッドを有する給紙機構である。給紙ローラ２２は、ステッピングモータ等の回転駆動力により回転制御され、Ｄ形の断面形状を有している。この２つの給紙ローラ２２の１つは、給紙トレイ３１の一方側に配置され、もう１つの給紙ローラ２２は、記録紙ガイド３２に取り付けられており、記録紙ガイド３２は、記録紙の幅に合わせて符号Ａで示した矢印の方向に摺動可能に給紙トレイ３１に設けられている。そして、給紙ローラ２２の回転駆動力と、分離パッドの摩擦抵抗により、給紙トレイ３１に置かれた複数の単票紙を給紙する際に、複数の単票紙が一度に給紙されることなく、１枚ずつ正確に自動給紙される。
【００２５】
また、給紙トレイ３１の後方には、ロール紙ホルダ２１が設けられている。ロール紙ホルダ２１は、ロール紙支持軸２３が取り付けられたロール紙Ｐを回転可能に軸支している。ロール紙Ｐは、図２に示したように給紙トレイ３１を経由して給紙される。
【００２６】
そして、給紙された単票紙若しくはロール紙Ｐは、給紙ローラより副走査方向の下流側に配設された記録紙搬送手段により、記録実行領域側となる副走査方向Ｙの下流側に向けて、所定の紙送り量で間欠的に搬送される。
【００２７】
この記録紙を副走査方向Ｙに間欠的に搬送する記録紙搬送手段として、搬送駆動ローラ５３と搬送従動ローラ５４が設けられている。搬送駆動ローラ５３は、ステッピングモータ等の回転駆動力により回転制御され、搬送駆動ローラ５３の回転により、記録紙は副走査方向Ｙに搬送される。搬送従動ローラ５４は複数設けられており、それぞれ個々に搬送駆動ローラ５３に付勢され、記録紙が搬送駆動ローラ５３の回転により搬送される際に、記録紙に接して記録紙の搬送に従動して回転する。
【００２８】
また、給紙ローラ２２と搬送駆動ローラ５３との間には、従来技術において公知の技術による紙検出器２４が配設されている。紙検出器２４は、立位姿勢への自己復帰習性が付与され、かつ記録紙搬送方向にのみ回動し得るよう記録紙の搬送経路内に突出する状態で枢支されたレバーを有し、このレバーの先端が記録紙に押されることでレバーが回動し、それによって記録紙が検出される構成を成す検出器である。
【００２９】
一方、記録された記録紙を排紙する手段として、排紙駆動ローラ５５と排紙従動ローラ５６が設けられている。排紙駆動ローラ５５は、ステッピングモータ等の回転駆動力により回転制御され、排紙駆動ローラ５５の回転により、記録紙は副走査方向Ｙに排紙される。排紙従動ローラ５６は複数設けられ、周囲に複数の歯を有し、各歯の先端が記録紙の記録面に点接触するように鋭角的に尖っている歯付きローラとなっている。それぞれ個々に排紙駆動ローラ５５に搬送従動ローラ５４の付勢力よりも弱い付勢力で付勢され、記録紙が排紙駆動ローラ５５の回転により排紙される際に、記録紙に接して記録紙の排紙に従動して回転する。
【００３０】
そして、排紙駆動ローラ５５及び排紙従動ローラ５６の副走査方向下流側には、ロール紙Ｐを切断するロール紙カッター５７が設けられており、ロール紙Ｐは、記録終了後に切断すべき位置で、ロール紙カッター５７により切断される。尚、ロール紙カッター５７は、当該実施例においては、鋭利な刃でロール紙を符号Ｚで示した矢印の方向に上下から挟み切るものであるが、例えばロータリーカッター等、他の切断装置でも本願発明の実施は可能である。
【００３１】
さらに、インクジェット式記録装置５０には、ロール紙Ｐに記録を実行し、記録実行後のロール紙Ｐを切断する制御を実行するためのロール紙切断ボタン５８が、インクジェット式記録装置５０の操作しやすい位置に配設されている。この、ロール紙切断ボタン５８を操作することによって、インクジェット式記録装置５０内に残っているロール紙Ｐの記録済みの部分を、排出させることができるものである。
【００３２】
また、インクジェット式記録装置５０は、記録制御部１を備えている。記録制御部１は、図示していないＣＰＵ（中央演算処理ユニット）、及びＲＯＭ、ＲＡＭ等のＣＰＵ周辺ユニットを有しており、記録実行制御及びロール紙切断制御等のインクジェット式記録装置５０の制御プログラムを実行して、インクジェット式記録装置５０の制御が実行する機能を有している。
【００３３】
図３は、本願発明に係るロール紙切断制御の手順を示した概略のフローチャートである。
まず、給紙されたロール紙Ｐに対して、記録動作が実行され（ステップＳ１）、給紙されたロール紙Ｐは、記録実行領域において、紙送り駆動ローラ５３の駆動回転により、副走査方向Ｙに間欠的に紙送りされ、主走査方向Ｘに往復動するキャリッジ６１に搭載された記録ヘッド６２からインクを吐出されて、ロール紙Ｐの記録面に記録が実行される。
【００３４】
つづいて、記録途中に記録データの有無を確認して、記録終了か否かを判定する（ステップＳ２）。記録データがあり、記録が終了していない場合には（ステップＳ２でＮｏ）、ロール紙カッター５７の切断位置に、ロール紙Ｐの切断すべき位置が到達しているか判定する（ステップＳ３）。ロール紙カッター５７の切断位置に、ロール紙Ｐの切断すべき位置が到達していれば（ステップＳ３でＹｅｓ）、その時点でロール紙Ｐを切断し、引き続き記録動作を実行する（ステップＳ１）。ロール紙カッター５７の切断位置に、ロール紙Ｐの切断すべき位置が到達していなければ（ステップＳ３でＮｏ）、そのまま、引き続き記録動作を実行する（ステップＳ１）。
【００３５】
一方、記録が終了していれば（ステップＳ２でＹｅｓ）、残りの記録データの有無を確認し、次の記録の記録データがあるかを判定する（ステップＳ５）。次の記録データがあれば（ステップＳ５でＹｅｓ）、引き続き記録動作を実行する（ステップＳ１）。次の記録データがなく、全ての記録が終了していれば（ステップＳ５でＮｏ）、記録動作を終了し、最後の記録の終端を切断する切断制御要求待ち状態を維持する（ステップＳ６）。
【００３６】
つづいて、この切断制御要求待ち状態において、インクジェット式記録装置５０に備えられているロール紙切断ボタン５８が押下されたかを判定する（ステップＳ７）。ロール紙切断ボタン５８が押下されていれば（ステップＳ７でＹｅｓ）、一連のロール紙切断動作として、ロール紙Ｐの所定の切断すべき位置がロール紙カッター５７の切断位置に達するまで、ロール紙Ｐを副走査方向Ｙに搬送し、ロール紙Ｐを切断すべき位置で切断し、切断後、副走査方向Ｙにおける上流側のロール紙Ｐの始端が、次の記録実行開始位置となる如く、ロール紙Ｐを逆送する（ステップＳ８）。
【００３７】
また、ロール紙切断制御要求待ち状態において、ロール紙切断ボタンが押下されていなければ（ステップＳ７でＮｏ）、つづいて、インクジェット式記録装置５０の電源ボタン（図示せず）が押下されているかを判定する（ステップＳ９）。電源ボタンが押下されていなければ（ステップＳ９でＮｏ）、引き続きロール紙切断制御要求待ち状態を維持する（ステップＳ６）。
【００３８】
一方、インクジェット式記録装置５０の電源ボタン（図示せず）が押下されていれば（ステップＳ９でＹｅｓ）、上述のロール紙切断ボタン５８が押下された場合と同様に、一連のロール紙切断動作として、ロール紙Ｐの所定の切断すべき位置がロール紙カッター５７の切断位置に達するまで、ロール紙Ｐを副走査方向Ｙに搬送し、ロール紙Ｐを切断すべき位置で切断し、切断後、副走査方向Ｙにおける上流側のロール紙Ｐの始端が、次の記録実行開始位置となる如く、ロール紙Ｐを逆送する（ステップＳ１０）する。そして、インクジェット式記録装置５０の電源をＯＦＦにする（ステップＳ１１）。
【００３９】
尚、当該実施の形態に示したインクジェット式記録装置５０の図示していない、電源ＯＮ／ＯＦＦ回路は、プッシュスイッチ等の電源ボタンの接点で、直接電源ラインを通電又は遮断する構成ではなく、電源ボタンの接点出力を記録制御部１に入力して、その接点情報をもとに記録制御部１が電源ラインを通電又は遮断可能に配設されているリレー等を開閉制御する構成となっている。したがって、ロール紙切断制御要求待ち状態の時に、電源ボタンが押された場合には、上述したようにロール紙切断動作を実行後に電源ラインを遮断し、それ以外の時は、すぐに電源ラインを遮断する制御を記録制御部１が実行するものである。
【００４０】
図４〜図１３は、ロール紙Ｐに連続して記録が実行される過程を示したインクジェット式記録装置５０の概略の平面図である。以下、図４〜図１３を参照しながら、ロール紙Ｐに連続して記録を実行する制御手順について説明する。
【００４１】
図４は、ロール紙Ｐを給紙した状態を示したものである。ロール紙ホルダ２１に回転可能に軸支されているロール紙Ｐは、給紙トレイ３１を経由して給紙される。そして、図示の如く、ロール紙Ｐの始端が記録実行開始位置に到達するまで、搬送駆動ローラ５３によって搬送される。
【００４２】
図５は、ロール紙Ｐに記録が実行されている状態を示したものである。ロール紙Ｐは、主走査方向Ｘに往復動するキャリッジ６１に搭載された記録ヘッド６２からインクが吐出され、搬送ローラ５３の回転によって副走査方向Ｙに間欠的に搬送されて記録が実行される。尚、ロール紙Ｐの記録面上の斜線部分は、記録済みの記録領域を示すものであり、以下、同様である。
【００４３】
図６は、ロール紙Ｐへの記録が終了した状態を示したものである。前述したように、この時点において、次の記録の記録データがあれば、そのまま記録を続行し、記録データがなく、記録が終了していれば、ロール紙切断制御要求待ち状態となる。
【００４４】
図７は、引き続き次の記録をロール紙Ｐに対して実行している状態を示したものであり、図８は、その記録途中において、記録済みの前の記録の終端と記録中の記録の始端との間の切断すべき位置が、ロール紙カッター５７の切断位置に到達した状態を示したものである。そして、図９は、ロール紙カッター５７の切断位置にてロール紙Ｐを上記切断すべき位置で切断した状態を示したものである。
【００４５】
図１０は、ロール紙Ｐに対して連続して記録を実行し、最後の記録の記録が終了した状態を示したものである。記録データがなくなり全ての記録が終了した時点で、上述したように、ロール紙切断制御要求待ち状態となる。
【００４６】
図１１は、上記ロール紙切断制御要求待ち状態において、ロール紙切断ボタン５８を押下することによって、ロール紙Ｐの切断すべき位置がロール紙カッター５７の切断位置に到達するまで搬送された状態を示したものである。ロール紙切断ボタン５８を押下することによって、ロール紙切断制御要求が記録制御部１に対して出力され、それによって記録制御部１がロール紙切断動作を実行する。図１２は、ロール紙カッター５７の切断位置まで搬送されたロール紙Ｐの切断すべき位置で、ロール紙Ｐがロール紙カッター５７によって切断された状態を示したものである。図１３は、切断後、切断位置より副走査方向上流側のロール紙Ｐの始端が、次の記録実行制御の開始位置となる如くロール紙Ｐを符号Ｂの矢印で示した方向に逆送した状態を示したものである。
【００４７】
また、図１０に示したロール紙切断制御要求待ち状態において、インクジェット式記録装置５０の電源ボタン（図示せず）を押下した場合は、すぐにインクジェット式記録装置５０の電源をＯＦＦに制御を実行せずに、図１１〜１３に示したロール紙切断ボタンを押下したときと同様のロール紙切断動作を実行する。ロール紙Ｐの切断すべき位置がロール紙カッター５７の切断位置に到達するまでロール紙Ｐを搬送し、ロール紙Ｐの切断すべき位置で、ロール紙Ｐをロール紙カッター５７によって切断する。また、切断後、切断位置より副走査方向上流側のロール紙Ｐの始端が、次の記録実行制御の開始位置となる如くロール紙Ｐを符号Ｂの矢印で示した方向に逆送する。そして、インクジェット式記録装置５０の電源をＯＦＦにする。
【００４８】
このようにして、ロール紙Ｐへ連続して記録を実行する際の最後の記録がインクジェット式記録装置５０の内部に残留した状態で、インクジェット式記録装置５０の電源スイッチをＯＦＦした時に、自動的にロール紙の切断動作を実行した後、インクジェット式記録装置５０の電源をＯＦＦにするので、インクジェット式記録装置５０の内部に残留している記録を正確な切断位置で切断して排出することができなくなることを防止することができる。
【００４９】
他の実施の形態としては、上記実施の形態に加えて、ロール紙Ｐへの記録実行中に実行中の記録を中断する記録中断ボタンを備えたものが挙げられる。
図１４は、本願発明に係るインクジェット式記録装置の他の実施の形態を示した概略の側面図である。インクジェット式記録装置５０には、実行中の記録を中断するための記録中断ボタン５９が、インクジェット式記録装置５０の操作しやすい位置に配設されている。この、記録中断ボタン５９を操作することによって、実行中の普通紙等の単票紙、又はロール紙Ｐへの記録を、いつでも、すぐに中断させることができるものである。
【００５０】
図１５は、記録中断ボタン５９を押下した時の記録制御部１の制御手順を示したフローチャートである。
当該実施の形態においてのフローチャートは、図３に示したフローチャートのステップＳ１とステップＳ２との間に図１５に示したステップＳ２１が挿入されたフローチャートとなる。つまり、まず、記録動作中（図３ステップＳ１）に、記録中断ボタン５９が押下されたかを判定し（ステップＳ２１）、記録中断ボタン５９が押下されていなければ（ステップＳ２１でＮｏ）、図３に示したステップＳ２へ進む。
【００５１】
記録中断ボタン５９が押下されていれば（ステップＳ２１でＹｅｓ）、つづいて、記録途中の記録終端位置までロール紙Ｐを搬送する（ステップＳ２２）。そして、記録途中の記録終端位置でロール紙Ｐを切断し（ステップＳ２３）、切断後、副走査方向上流側のロール紙Ｐの始端が、記録実行開始位置となる位置まで、ロール紙Ｐを逆送する（ステップＳ２４）。
【００５２】
尚、インクジェット式記録装置５０に設けられている記録中断ボタン５８を操作すること以外に、例えば、インクジェット式記録装置５０に接続されているパーソナル・コンピュータ等の情報処理装置（図示せず）からの記録中断制御要求等によって記録を中断することも可能な構成としても良い。
【００５３】
図１６は、ロール紙Ｐへの記録途中に、記録中断ボタンの押下によって記録が中断された状態を示したものである。図１７は、記録途中の記録終端近傍でロール紙Ｐを切断する位置まで、ロール紙Ｐを搬送した状態を示したものである。そして、図１８に示したように、ロール紙カッター５７によって切断される。
【００５４】
このようにして、記録実行途中に記録中断制御要求があった場合には、記録途中の記録終端位置までロール紙Ｐを搬送し、記録途中の記録終端位置でロール紙Ｐを切断することによって、無駄に捨てられてしまうロール紙Ｐを少なくすることができる。
【００５５】
尚、本願発明は上記実施例に限定されることなく、特許請求の範囲に記載した発明の範囲内で、種々の変形が可能であり、それらも本願発明の範囲内に含まれるものであることは言うまでもない。
【００５６】
【発明の効果】
本願発明によれば、ロール紙へ連続して記録を実行する際の最後の記録がインクジェット式記録装置内部に残留した状態で、インクジェット式記録装置の電源スイッチをＯＦＦした時に、インクジェット式記録装置内部に残留している記録を正確な切断位置で切断して排出することができなくなることを防止することができる。
【図面の簡単な説明】
【図１】本願発明に係るインクジェット式記録装置の一実施の形態を示した概略の平面図である。
【図２】本願発明に係るインクジェット式記録装置の一実施の形態を示した概略の側面図である。
【図３】本願発明に係るロール紙切断制御の手順を示した概略のフローチャートである。
【図４】ロール紙に連続して記録が実行される過程を示したインクジェット式記録装置の概略の平面図であり、ロール紙を給紙した状態を示したものである。
【図５】ロール紙に連続して記録が実行される過程を示したインクジェット式記録装置の概略の平面図であり、ロール紙に記録が実行されている状態を示したものである。
【図６】ロール紙に連続して記録が実行される過程を示したインクジェット式記録装置の概略の平面図であり、ロール紙Ｐへの記録が終了した状態を示したものである。
【図７】ロール紙に連続して記録が実行される過程を示したインクジェット式記録装置の概略の平面図であり、引き続き次の記録をロール紙に対して実行している状態を示したものである。
【図８】ロール紙に連続して記録が実行される過程を示したインクジェット式記録装置の概略の平面図であり、記録途中において、ロール紙の切断すべき位置が、切断位置に到達した状態を示したものである。
【図９】ロール紙に連続して記録が実行される過程を示したインクジェット式記録装置の概略の平面図であり、ロール紙カッターの切断位置にてロール紙を切断すべき位置で切断した状態を示したものである。
【図１０】ロール紙に連続して記録が実行される過程を示したインクジェット式記録装置の概略の平面図であり、ロール紙に対して連続して記録を実行し、最後の記録の記録が終了した状態を示したものである。
【図１１】ロール紙に連続して記録が実行される過程を示したインクジェット式記録装置の概略の平面図であり、ロール紙切断ボタンを押下することによって、ロール紙の切断すべき位置が切断位置に到達するまで搬送された状態を示したものである。
【図１２】ロール紙に連続して記録が実行される過程を示したインクジェット式記録装置の概略の平面図であり、ロール紙カッターの切断位置まで搬送されたロール紙の切断すべき位置で、ロール紙が切断された状態を示したものである。
【図１３】ロール紙に連続して記録が実行される過程を示したインクジェット式記録装置の概略の平面図であり、切断後、ロール紙の始端が、次の記録実行制御の開始位置となる如くロール紙を逆送した状態を示したものである。
【図１４】本願発明に係るインクジェット式記録装置の他の実施の形態を示した概略の側面図である。
【図１５】記録中断ボタンを押下した時の記録制御部の制御手順を示したフローチャートである。
【図１６】ロール紙に連続して記録が実行される過程を示したインクジェット式記録装置の概略の平面図であり、ロール紙への記録途中に、記録中断ボタンの押下によって記録が中断された状態を示したものである。
【図１７】ロール紙に連続して記録が実行される過程を示したインクジェット式記録装置の概略の平面図であり、記録途中の記録終端近傍でロール紙Ｐを切断する位置まで、ロール紙を搬送した状態を示したものである。
【図１８】ロール紙に連続して記録が実行される過程を示したインクジェット式記録装置の概略の平面図であり、記録途中の記録終端近傍でロール紙Ｐを切断する位置でロール紙カッターによって切断された状態を示したものである。
【符号の説明】
１    記録制御部
２１  ロール紙ホルダ
２２  給紙ローラ
２４  紙検出器
３１  給紙トレイ
３２  記録紙ガイド
５０  インクジェット式記録装置
５１  キャリッジガイド軸
５２  プラテン
５３  搬送駆動ローラ
５４  搬送従動ローラ
５５  排紙駆動ローラ
５６  排紙従動ローラ
５７  ロール紙カッター
５８  ロール紙切断ボタン
５９  記録中断ボタン
６１  キャリッジ
６２  記録ヘッド
Ｐ    ロール紙
Ｘ    主走査方向
Ｙ    副走査方向
【図１】
0003856098.tif 000002
【図２】
0003856098.tif 000003
【図３】
0003856098.tif 000004
【図４】
0003856098.tif 000005
【図５】
0003856098.tif 000006
【図６】
0003856098.tif 000007
【図７】
0003856098.tif 000008
【図８】
0003856098.tif 000009
【図９】
0003856098.tif 000010
【図１０】
0003856098.tif 000011
【図１１】
0003856098.tif 000012
【図１２】
0003856098.tif 000013
【図１３】
0003856098.tif 000014
【図１４】
0003856098.tif 000015
【図１５】
0003856098.tif 000016
【図１６】
0003856098.tif 000017
【図１７】
0003856098.tif 000018
【図１８】
0003856098.tif 000019